(57)【要約】      （修正有）【課題】受口を平らに折りたたむことで全体を薄く折りたたむことができる携帯型便器において、使用時に受口を開いた状態に保持できるようにする。【解決手段】携帯型便器Ｘとして、上方に開口が形成される非透水性シートで形成された袋であって、二分された開口縁同士が互いに重なるように平らに折りたたまれる袋１０と、下端側が袋１０の開口に嵌る軟質な素材で形成される筒体からなり、下端側が袋１０の折りたたまれた開口縁に平行になるように平らに折りたたまれる受口２０と、受口２０の折りたたまれた少なくとも一方の折り目の内側に嵌るように固定される二つ折りにされた可塑性の薄い板体からなり、折り目の上端側近傍は受口２０に固定されない開口部材３０とから構成する。【選択図】図２
0003217852.tif 000002
【実用新案登録請求の範囲】
【請求項１】
上方に開口が形成される非透水性シートで形成された袋であって、二分された開口縁同士が互いに重なるように平らに折りたたまれる袋と、
下端側が前記袋の前記開口に接続される軟質な素材で形成される筒体からなる受口であって、前記袋の折りたたまれた開口縁に下端側が平行になるように平らに折りたたまれる受口と、
前記受口の折りたたまれた少なくとも一方の折り目の内側に嵌るように固定される二つ折りにされた可塑性の薄い板体からなり、折り目の上端側近傍は前記受口に固定されない開口部材と
を有する携帯型便器。
【請求項２】
前記開口部材は前記受口の内周面に外周面が接触する大きさを有し、可塑性の薄い板体により形成される、平らに折りたたまれる筒体からなる請求項１に記載の携帯型便器。
【請求項３】
折りたたまれた前記袋の外面に平行に折りたたまれる板体により形成される、前記袋体の側面に固定される持ち手を設けた請求項１又は２に記載の携帯型便器。
【考案の詳細な説明】
【技術分野】
【０００１】
本考案は、車内等において排尿等をするための袋状に形成された携帯型の便器に関する。
【背景技術】
【０００２】
高速道路を走行中の車中など駐車できない状況下で尿意等を催した場合に備えて、袋状の携帯型便器が利用されている。このような携帯型便器は内部に消臭凝固剤を入れた単純な袋により構成されるものが一般的である。このような携帯型便器は薄く折りたたむことができるという利点があるが、袋の開口を開いた状態に維持することが難しく使用しずらいという問題がある。また、袋の上部にリング状の受口を有し、当該受口から排尿等を行う携帯型便器も存在する。この形態の携帯型便器は受口が開いているので使用しやすいが、リング状の受口を有することで薄く折りたたむことが妨げられるという問題がある。これらに対して、下記特許文献に示す携帯型トイレは、上方が開放した袋の開口に、平らに折りたたまれた薄い板体からなる筒状の受口を固定している。このような構造によれば、受口が平らな板状になるので携帯型便器を薄く折りたたむことができ、板体からなる受口があるので比較的容易に開口を開いた状態に維持することができる。
【先行技術文献】
【特許文献】
【０００３】
【特許文献１】意匠登録第1438282号公報
【考案の概要】
【考案が解決しようとする課題】
【０００４】
ところで、上記特許文献１に記載の携帯型便器は受口を開いた状態にするためには折りたたまれ受口の両方の角部を互いに近づくように持つ必要がある。しかしながら、この状態で特に女性は排尿等をするのは難しいという問題がある。
本考案は、このような問題を解決すべく、受口を平らに折りたたむことで全体を薄く折りたたむことができる携帯型便器において、使用時に受口を開いた状態に保持できるようにすることを課題とする。
【課題を解決するための手段】
【０００５】
上記課題を解決するために、本考案は次のような構成を有する。
請求項１に記載の考案は、上方に開口が形成される非透水性シートで形成された袋であって、二分された開口縁同士が互いに重なるように平らに折りたたまれる袋と、下端側が前記袋の前記開口に嵌る軟質な素材で形成される筒体からなる受口であって、下端側が前記袋の折りたたまれた開口縁に平行になるように平らに折りたたまれる受口と、前記受口の折りたたまれた少なくとも一方の折り目の内側に嵌るように固定される二つ折りにされた可塑性の薄い板体からなり、折り目の上端側近傍は前記受口に固定されない開口部材とを有する携帯型便器である。
請求項２に記載の考案は、前記携帯型便器において、前記開口部材は前記受口の内周面に外周面が接触する大きさを有し、可塑性の薄い板体により形成される、平らに折りたたまれる筒体からなるものである。
請求項３に記載の考案は、前記携帯型便器において、折りたたまれた前記袋面に平行に
折りたたまれる板体により形成される、前記袋体の側面に固定される持ち手を設けたもの
である。
【考案の効果】
【０００６】
以上のような構成により本考案は、次のような効果を奏する。
請求項１に記載の考案は、開口部材の折り目の上端近傍の角部を折り返すことで可塑性の薄い板体からなる開口部材が開いた状態に保持され、これによって受口の開口部材が設けられた折り目部分も広がるように維持されるので、受口を開いた状態に維持でき、受口を指で開かなくても使用することができる。これによって、より持ちやすい方法で携帯型便器を持って、排尿等を行うことができる。
請求項２に記載の考案は、開口部材を受口内周に接触する筒状とすることで、受口を補強できるとともに、折り目以外の部分でも受口を内側から押し広げるようにすることが可能なので、より受口を広げた状態に維持しやすい。
請求項３に記載の考案は、折りたたみ可能な持ち手を設けることで、排尿等に際して持ち手を持つことで、より安定した状態で使用することができる。
【図面の簡単な説明】
【０００７】
【図１】実施形態に係る携帯型便器の側面図である。
【図２】実施形態に係る携帯型便器の内部を示す側面図である。
【図３】実施形態に係る携帯型便器の使用状態を示す斜視図である。
【図４】変形例に係る携帯型便器の内部を示す側面図である。
【考案を実施するための形態】
【０００８】
図１に実施形態に係る携帯型便器Ｘの側面図を示し、図２に携帯型便器Ｘの内部を表す側面図を示す。携帯型便器Ｘは袋１０、受口２０、開口部材３０、外装４０、持ち手５０を有する。袋１０は塩化ビニル、ポリエステル等の非透水性のシートからなる側面視長方形状の上方が開放した袋体であり、上縁に内部を密閉できるファスナー１１が形成されている。袋１０は二分された開口縁同士が重なって真っ直ぐになり、正面視長方形になるよう平らに折りたたまれる。
受口２０はスポンジ、ゴム等の柔らかい素材の薄い板体を筒状に形成したものであり、下端縁外周は袋１０のファスナー１１より上方の開口縁近傍内に嵌り、接着剤により一体に固定されている。受口２０は袋１０と同じように下端縁が袋１０の開口縁とともに真っ直ぐになるように折りたたまれる。受口２０は折りたたまれた状態において、折り目を形成する両縁の一方側が外方に広がるように斜めに形成され、上縁は側面視一方側から他方側に向かって、約４分の１の位置まで水平に延び、そこから斜め下方に下がって約３分の２の位置から少し斜め上方に上がるような曲線を形成する。
開口部材３０は、厚紙などの可塑性を有する薄い板状体を筒状に形成したものであり、外周面が受口２０の内周面に接触するような大きさに形成される。開口部材３０は下端近傍が受口２０に接着固定され、受口２０が折りたたまれる形状に合わせて平らに折りたたまれる。開口部材３０は折りたたまれた状態において、上縁は側面視折り目を形成する両端が受口２０から突出するとともに、両端以外の部分は受口２０の上縁よりも下方に位置する。
外装４０は袋１０の外周を覆うよう袋４０に固定される厚紙や合成樹脂シートで形成される筒状体であり、袋１０に重なるように平らに折りたたまれている。
持ち手５０は略長方形の厚紙からなる板体に左右対称に開口５１を形成し、開口５１同士が重なるように折り曲げたものである。持ち手５０は折り目から離れた両縁によって外装４０の側縁上方を図１の裏面と表面から挟み、開口５１が約半分側方に突出するような位置で外装４０に接着固定される。
【０００９】
次に、以上のような構成を有する携帯型便器Ｘの使用方法について説明する。なお、袋３０内には粉末の消臭効果のある凝固剤を予め入れておくものとする。図３に携帯型便器Ｘの使用状態を表す斜視図を示す。図３は女性が排尿する際の使用状態を示している。使用者は、まず袋１０のファスナー１１を開き、次に、開口部材３０の受口２０から上方に突出している部分のそれぞれを開いて内側に折り返す。開口部材３０は可塑性を有する素材により形成されているので、開口部材３０は開いた状態に保持され、開口部材３０が内周に接触する受口２０も開いた状態に保持される。その後、持ち手５０を持って図３に示すように受口２０を適当な位置に位置づけて排尿を行う。袋内には凝固剤が入っているので、尿は固まりゼリー状となる。その後、袋１０のファスナー１１を閉じ内容物を袋１０内に封入する。なお、図３は女性の使用状態を示しているが、男性でも使用方法は同じである。また、袋１０を大きなものとすれば排便にも使用することができる。
以上説明したように、本実施形態に係る携帯型便器Ｘは、通常は薄く折りたたんでおくことができるので収納性、運搬性がよく、使用に際しては、受口２０を開いた状態に保持できるとともに持ち手５０を持って使用できるので使用しやすく、受口２０から手の位置が離れるので、尿等の飛散を受けにくく、衛生的である。また、受口２０が柔らかい素材により形成されるので、皮膚に当てても痛くなく快適に使用することができる。
【００１０】
なお、上記実施形態では開口部材３０の折り目上端角部を内側に折り返すようにしているが外側に折り返すようにしてもよい。また、上記実施形態では開口部材３０を筒状に形成しているが、図４に示す開口部材３０ａのように、受口２０の折り目内側に嵌る二つ折りにした板体により形成してもよい。この場合、折り目の上端近傍は折り曲げることができるように受口２０には固定しないようにしておけば、折り目上端角部を折り曲げることで、やはり受口２０を開いた状態に保持することができる。
【符号の説明】
【００１１】
Ｘ  携帯型便器
１０  袋
２０  受口
３０、３０ａ  開口部材
４０  外装
５０  持ち手
【図１】
0003217852.tif 000003
【図２】
0003217852.tif 000004
【図３】
0003217852.tif 000005
【図４】
0003217852.tif 000006